(57)【特許請求の範囲】
【請求項１】
照明装置を収納する収納部と、
前記収納部に接合され、前記収納部を外部の設備に係留する係留部と、
前記係留部を支持し、施設に取り付けられる支持部とを有し、
前記収納部は、上部が前記照明装置の少なくとも一部を挿入可能な内径で形成され、且つ内部が前記照明装置の外形の最大径よりも小さな内径で形成され、前記内部に前記照明装置を挿入して当接させ載置すること
を特徴とする照明装置取付具。
【請求項２】
前記収納部の前記内部の前記照明装置が当接する部分は、多角錐、円錐、又はそれらの形状の組み合わせから形成されていること
を特徴とする請求項１に記載の照明装置取付具。
【請求項３】
前記収納部の前記内部の前記照明装置が当接する部分は、凸部が形成されていること
を特徴とする請求項１に記載の照明装置取付具。
【請求項４】
前記支持部は、複数の前記収納部を扇状に配設すること
を特徴とする請求項１に記載の照明装置取付具。
【請求項５】
前記支持部は、前記係留部を支持する第１支持部と、壁面に取り付けられる第２支持部から成り、
前記第１支持部は、前記第２支持部に所定の角度で固定されていること
を特徴とする請求項１に記載の照明装置取付具。
【請求項６】
前記支持部の支持部材は、前記係留部を異なる角度で配設して固定する孔が複数形成されていること
を特徴とする請求項１に記載の照明装置取付具。
【発明の詳細な説明】
【技術分野】
【０００１】
本発明は、照明装置を収納する照明装置取付具に関する。
【背景技術】
【０００２】
従来、外周面に段部が突設された引掛シーリングボディに照明器具を取り付ける取付アダプタ、及び該取付アダプタを用いた照明装置に関して、外周面に段部が突設された引掛シーリングボディを挿通させる挿通孔、および挿通孔の内方に突出して引掛シーリングボディの段部に着脱可能に係止する係止部を有する引掛シーリングボディ取付部と引掛シーリングボディ取付部に設けられた取付ベース、および引掛シーリングボディへの取付状態で取付ベースから下方へ向けて突出され照明器具が取り付けられるねじ部を有する照明器具取付部とを具備した構成がある（例えば、特許文献１参照。）。
【０００３】
また、引掛シーリングを利用する照明器具および照明装置に関して、器具本体と、この器具本体に設けられ、ランプを接続するランプソケットと、前記器具本体の上部に設けられた引掛シーリングキャップと、前記器具本体の下部に設けられた引掛シーリングボディとを具備した構成がある（例えば、特許文献２参照。）。
【先行技術文献】
【特許文献】
【０００４】
【特許文献１】特開２００５−７８８４５号公報
【特許文献２】特開平１０−１７２３３０号公報
【発明の概要】
【発明が解決しようとする課題】
【０００５】
しかしながら、前述の様な構成では、簡便な構成により照明装置を容易に収納することが困難であるという問題があった。
【０００６】
そこで、本発明は前述の技術的な課題に鑑み、簡便な構成により照明装置を容易に収納することができる照明装置取付具の提供を目的とする。
【課題を解決するための手段】
【０００７】
前述の課題を解決すべく、本発明に係る照明装置取付具は、照明装置を収納する収納部と、前記収納部に接合され、前記収納部を外部の設備に係留する係留部と、前記係留部を支持し、施設に取り付けられる支持部とを有し、前記収納部は、上部が前記照明装置の少なくとも一部を挿入可能な内径で形成され、且つ内部が前記照明装置の外形の最大径よりも小さな内径で形成され、前記内部に前記照明装置を挿入して当接させ載置することを特徴とする。
【発明の効果】
【０００８】
本発明に係る照明装置取付具によれば、簡便な構成により照明装置を容易に収納することができる。
【図面の簡単な説明】
【０００９】
【図１】本発明の第１の実施形態に係る照明装置取付具を前方から示す斜視図であり、（ａ）は照明装置を収納した照明装置取付具を前方から示す斜視図、（ｂ）は照明装置を収納していない照明装置取付具を前方から示す斜視図である。
【図２】本発明の第１の実施形態に係る照明装置取付具の断面を前方から示す斜視図であり、（ａ）は照明装置を収納した照明装置取付具の断面を前方から示す斜視図、（ｂ）は照明装置を収納していない照明装置取付具の断面を前方から示す斜視図であり、図１に対応している。
【図３】本発明の第１の実施形態に係る照明装置取付具の断面を側面から示す斜視図であり、（ａ）は照明装置を収納した照明装置取付具の断面を側面から示す斜視図、（ｂ）は照明装置を収納していない照明装置取付具の断面を側面から示す斜視図である。
【図４】本発明の第１の実施形態に係る照明装置取付具の断面を一方から示す斜視図であり、（ａ）は照明装置を収納した照明装置取付具の断面を一方から示す斜視図、（ｂ）は照明装置を収納していない照明装置取付具の断面を一方から示す斜視図である。
【図５】本発明の第１の実施形態に係る照明装置取付具の断面を所定の方向から示す斜視図であり、（ａ）は口金にソケットを装着した照明装置を収納した照明装置取付具の断面を前方から示す斜視図、（ｂ）は口金にソケットを装着した照明装置を収納した照明装置取付具の断面を側面から示す斜視図である。
【図６】本発明の第１の実施形態に係る照明装置取付具を示す平面図であり、（ａ）は照明装置取付具を側面から示す平面図、（ｂ）は照明装置取付具を裏面から示す平面図である。
【図７】本発明の第１の実施形態に係る照明装置取付具の収納容器の変形例を示す斜視図であり、（ａ）は内部が２０面から成る多角錐形状に形成され且つ外部が円錐形状に形成された照明装置取付具の収納容器を示す斜視図、（ｂ）は内部が４０面から成る多角錐形状に形成され且つ外部が円錐形状に形成された照明装置取付具の収納容器を示す斜視図、（ｃ）は内部が楕円から成る円錐形状に形成され且つ外部が円錐形状に形成された照明装置取付具の収納容器を示す斜視図、（ｄ）は内部が円錐形状に形成され且つ外部が円柱形状に形成された照明装置取付具の収納容器を示す斜視図である。
【図８】本発明の第１の実施形態に係る照明装置取付具の収納容器の変形例を示す図であり、（ａ）は内部に半球状の凸部が形成された収納容器を上面から示す上面図、（ｂ）は該照収納容器を側面から示す側面図である。
【図９】本発明の第１の実施形態に係る照明装置取付具の収納容器の変形例を示す図であり、（ａ）は内部に湾曲面を有する凸部が形成された収納容器を上面から示す上面図、（ｂ）は該収納容器を側面から示す側面図である。
【図１０】本発明の第１の実施形態に係る照明装置取付具を示す斜視図であり、（ａ）は照明装置を収納した照明装置取付具を示す斜視図、（ｂ）は照明装置を所定の角度回転させた状態で収納した照明装置取付具を示す斜視図、（ｃ）は照明装置をさらに所定の角度回転させた状態で収納した照明装置取付具を示す斜視図である。
【図１１】本発明の第２の実施形態に係る照明装置取付具を示す斜視図であり、（ａ）は照明装置を収納した照明装置取付具を前方から示す斜視図、（ｂ）は照明装置を収納した照明装置取付具を後方から示す斜視図である。
【図１２】本発明の第２の実施形態に係る照明装置取付具を示す平面図であり、（ａ）は照明装置取付具を側面から示す平面図、（ｂ）は照明装置取付具を表面から示す平面図である。
【図１３】本発明の第２の実施形態に係る照明装置取付具を構成する支持部を後方から示す斜視図である。
【図１４】本発明の第２の実施形態に係る照明装置取付具を構成する支持部を示す平面図であり、（ａ）は照明装置取付具を構成する支持部を側面から示す平面図、（ｂ）は照明装置取付具を構成する支持部を裏面から示す平面図である。
【図１５】本発明の第２の実施形態に係る照明装置取付具を示す平面図であり、（ａ）は複数の照明装置を収納した照明装置取付具を示す平面図、（ｂ）は複数の照明装置を所定の角度だけ同一の方向に回転させた状態で収納した照明装置取付具を示す平面図、（ｂ）は複数の照明装置を所定の角度だけ異なる方向に回転させた状態で収納した照明装置取付具を示す平面図である。
【図１６】本発明の第３の実施形態に係る照明装置取付具を照明装置を収納した状態で後方から示す斜視図である。
【図１７】本発明の第３の実施形態に係る照明装置取付具の各構成と照明装置を分解した状態で後方から示す斜視図である。
【図１８】本発明の第３の実施形態に係る照明装置取付具の一部を示す側面図であり、（ａ）は第２支持部に接合された連結部材に対し第１支持部を介してボルトが固定される途中の状態を示す側面図、（ｂ）は第２支持部に接合された連結部材に対し第１支持部を介してボルトが完全に固定された状態を示す側面図である。
【図１９】本発明の第４の実施形態に係る照明装置取付具を照明装置を収納した状態で後方から示す斜視図である。
【図２０】本発明の第４の実施形態に係る照明装置取付具の各構成と照明装置を分解した状態で後方から示す斜視図である。
【図２１】本発明の第４の実施形態に係る照明装置取付具の支持部の第１支持ベースに複数形成された貫通孔の位置を示すための模式図である。
【図２２】本発明の第４の実施形態に係る照明装置取付具を照明装置を収納した状態で後方から示す平面図であり、３個の照明装置の発光部が真上を向くように配設した平面図、両端の２個の照明装置の発光部が第１支持ベースの中心に向かって傾斜するように配設した平面図、両端の２個の照明装置の発光部が第１支持ベースの外側に向かって傾斜するように配設した平面図を重ねて示している。
【図２３】本発明の第４の実施形態に係る照明装置取付具を照明装置を収納した状態で後方から示す平面図であり、図２２に示す装置と比較して第１支持ベースを９０°回転させた状態で、２個の照明装置の発光部が真上を向くように配設した平面図、２個の照明装置の発光部が第１支持ベースの外側に向かって傾斜するように配設した平面図を重ねて示している。
【発明を実施するための形態】
【００１０】
以下、本発明の照明装置取付具に係る好適な実施形態について、図面を参照しながら説明する。なお、本発明の照明装置取付具は、以下の記述に限定されるものではなく、本発明の要旨を逸脱しない範囲において、適宜変更可能である。以下の記述において、本発明の照明装置取付具を構成する各構成部材の材質及び形状等は一例であり、他の材質及び形状等に適宜変更可能である。
【００１１】
また、以下の説明においては、最初に本発明の第１の実施形態に係る照明装置取付具１について図１乃至図１０を参照しながら説明する。次に本発明の第２の実施形態に係る照明装置取付具２について図１１乃至図１５を参照しながら説明する。次に本発明の第３の実施形態に係る照明装置取付具３について図１６乃至図１８を参照しながら説明する。次に本発明の第４の実施形態に係る照明装置取付具４について図１９乃至図２３を参照しながら説明する。最後に本発明の第１乃至第４の実施形態に係る照明装置取付具１乃至照明装置取付具４の構成と主な作用効果について請求項毎に説明する。
【００１２】
［第１の実施形態］
以下、本発明の第１の実施形態に係る照明装置取付具１について、図１乃至図１０を参照しながら、具体的に説明する。
【００１３】
第１の照明装置取付具１を構成する収納部１０は、照明装置Ｌを収納する。また、収納部１０は、上部が照明装置Ｌの少なくとも一部を挿入可能な内径で形成され、且つ内部が照明装置Ｌの外形の最大径よりも小さな内径で形成され、内部に照明装置Ｌを挿入して当接させ載置する。また、図１に示す照明装置取付具１は、収納部１０は、上部が照明装置Ｌの少なくとも一部を挿入可能な内接円で形成され、且つ少なくとも内部の一部が照明装置Ｌの外形の最大径よりも小さな内接円で形成されている。この様な収納部１０は、収納容器１１から構成される。また、照明装置Ｌには、図５に示す該照明装置Ｌの口金ＬＭに装着されたソケットＳが含まれている。ここで、図１（ａ）に照明装置Ｌを収納した照明装置取付具１を前方から斜視図で示し、且つ図１（ｂ）に照明装置Ｌを収納していない照明装置取付具１を前方から斜視図で示している。また、図２に照明装置取付具１の断面を前方から示し、且つ図３に照明装置取付具１の断面を側面から示し、さらに図４に照明装置取付具１の断面を一方から示している。なお、図２（ａ）乃至図４（ａ）に照明装置Ｌを収納した照明装置取付具１の断面を示し、且つ図２（ｂ）乃至図４（ｂ）に照明装置Ｌを収納していない照明装置取付具１の断面を示している。また、図６（ｂ）に照明装置取付具１を側面から平面図で示し、且つ図６（ａ）に照明装置取付具１を裏面から平面図で示している。
【００１４】
ここで、収納部１０の構成に関し、該収納部１０を構成する収納容器１１は、ステンレスから成り、円筒形状に形成されている。具体的には、収納容器１１は、ステンレス製の薄板を円筒形状に湾曲させた上で、該薄板の両側を当接させて溶接している。ここで、収納容器１１の上部に形成された上端部１１ａの開口径と比較して、該上端部１１ａに対向した下端部１１ｂの開口径は小さく形成されている。したがって、収納容器１１は、円錐を途中で切断した円錐台の形状を成している。また、収納容器１１の内部１１ｃに、照明装置Ｌの口金ＬＭを挿通して保持する保持部１１ｄが設けられている。ここで、収納容器１１の保持部１１ｄは、内部１１ｃの一部に相当する。該保持部１１ｄは、中心に貫通孔が形成された円盤状に形成されている。また、図５に示すように、照明装置ＬのソケットＳの大きさが一定以上の場合には、該ソケットＳが収納容器１１の保持部１１ｄに当接されることにより、照明装置Ｌが固定される。なお、収納容器１１に、保持部１１ｄを設けず、内部１１ｃに照明装置Ｌの筐体ＬＫを２点以上の点で支持する片又は棒状の突起を設ける構成としても良い。この様に収納容器１１の内部１１ｃの少なくとも一部が、照明装置Ｌの筐体部ＬＫの外形の最大径よりも小さい形状であれば良い。また、収納容器１１の外部１１ｅには、後述する係留部２０の係留部材２１が接合される。
【００１５】
また、収納部１０の構成に関し、図７（ａ）に、内部１３ｃが２０面から成る多角錐形状に形成され、且つ外部１３ｅが円錐形状に形成された照明装置取付具１の収納容器１３を示している。また、図７（ｂ）に、内部１４ｃが４面から成る多角錐形状に形成され、且つ外部１４ｅが円錐形状に形成された照明装置取付具１の収納容器１４を示している。また、図７（ｃ）に、内部１５ｃが楕円から成る円錐形状に形成され、且つ外部１５ｅが円錐形状に形成された照明装置取付具１の収納容器１５を示している。また、図７（ｄ）に、内部１６ｃが円錐形状に形成され、且つ外部１６ｅが円柱形状に形成された照明装置取付具１の収納容器１６を示している。また、図８に、内部１７ｃに半球状の凸部１７ｆが形成された収納容器１７を示している。また、図９に、内部１８ｃに湾曲面を有する凸部１８ｆが形成された収納容器１８を示している。
【００１６】
また、収納部１０の構成に関し、上述した収納部１０の収納容器１１の内部１１ｃに、照明装置Ｌの筐体部ＬＫを当接させて載置する。また、収納容器１１の内部１１ｃの内径は、照明装置Ｌの筐体部ＬＫの外形の最大径よりも小さく形成されている。また、収納容器１１の内部１１ｃの内径は、照明装置Ｌの発光部ＬＬを上部から突出させる大きさに形成されている。さらに、収納容器１１の少なくとも内部１１ｃは、放熱部材で形成され、照明装置Ｌの放熱部を当接させている。
【００１７】
第１の照明装置取付具１を構成する係留部２０は、収納部１０に接合され、収納部１０を外部の設備に係留する。この様な係留部２０は、係留部材２１から構成される。また、係留部材２１は、ステンレスから成り、コの字状に形成されている。具体的には、係留部材２１は、ステンレス製の長板を屈折させて形成している。また、係留部材２１の接合部２１ａが、収納部１０の収納容器１１の外部１１ｅに対して溶接されている。ここで、係留部材２１の内面部２１ｂが、図示せぬ外部の設備に係留される。また、係留部材２１に形成された孔２１ｃに、ネジが挿通され、外部の設備にネジ留めされる。
【００１８】
ここで、第１の照明装置取付具１の使用法に関し、図１０の各図を参照しながら、説明する。図１０（ａ）には、複数の照明装置Ｌを収納した照明装置取付具１を斜視図で示している。なお、図１０（ａ）に示す照明装置Ｌには、発光する一組の導光板が十字状に直交して設けられている。また、図１０（ｂ）には、図１０（ａ）に図示した照明装置Ｌを反時計方向に２２．５度回転させた状態で収納した照明装置取付具１を斜視図で示している。さらに、図１０（ｃ）には、図１０（ａ）に図示した照明装置Ｌを反時計方向に４５°回転させた状態で収納した照明装置取付具１を斜視図で示している。
【００１９】
以上、本発明の第１の実施形態に係る照明装置取付具１によれば、簡便な構成により照明装置を容易に収納することができる。
【００２０】
また、本発明の第１の実施形態に係る照明装置取付具１によれば、図１０に示すように、照明装置を所定の角度回転させた状態で収納することができる。
【００２１】
また、本発明の第１の実施形態に係る照明装置取付具１によれば、収納部１０の内部の内径が照明装置の筐体部の外形の最大径よりも小さいことから、照明装置の筐体部を収納部１０の内部に載置させることができる。また、照明装置取付具１によれば、収納部１０の内部の内径が照明装置の発光部を上部から突出させる大きさに形成されていることから、照明装置の発光部を、収納部１０の上部から突出させて、発光部からの出射される光を遮光しないよう配置することができる。また、照明装置取付具１によれば、収納部１０の内部が放熱部材で形成されていることから、照明装置の放熱部から放出された熱を、収納部１０の放熱部材で放熱させることができる。
【００２２】
［第２の実施形態］
以下、本発明の第２の実施形態に係る照明装置取付具２について、図１１乃至図１５を参照しながら、具体的に説明する。
【００２３】
なお、本発明の第２の実施形態に係る照明装置取付具２は、図１１に示すように、係留部２０を支持し、施設に取り付けられる支持部３０を有していることに特徴を有している。また、それ以外の第２の実施形態に係る構成は、第１の実施形態で述べた構成と同様である。そこで、第２の実施形態においては第１の実施形態と異なる支持部３０の構成について中心に説明する。
【００２４】
第２の照明装置取付具２を構成する支持部３０は、係留部２０を支持し、施設に取り付けられる。この様な支持部３０は、支持部材３１、取付具３２、第１持手３３、及び第２持手３４から構成される。ここで、図１１（ａ）に照明装置Ｌを収納した照明装置取付具２を前方から斜視図で示し、且つ図１１（ｂ）に照明装置Ｌを収納した照明装置取付具２を後方から斜視図で示している。また、図１２（ａ）に照明装置取付具２を側面から平面図で示し、且つ図１２（ｂ）に照明装置取付具２を表面から平面図で示している。また、図１３に照明装置取付具２を構成する支持部３０を後方から斜視図で示している。さらに、図１４（ａ）に照明装置取付具２を構成する支持部３０を側面から平面図で示し、且つ図１４（ｂ）に照明装置取付具２を構成する支持部３０を裏面から平面図で示している。
【００２５】
ここで、支持部３０の構成に関し、該支持部３０の支持部材３１は、アルミニウム合金から成り、板状で扇形状に形成されている。また、支持部材３１の一面３１ａ及び該一面３１ａに対向した他面３１ｂに、係留部材２１が挿入される。また、支持部材３１には貫通孔３１ｃが複数形成され、係留部材２１に形成された孔２１ｃと対応している。また、支持部３０の取付具３２は、該取付具３２に開口された長穴３２ａを、図示せぬ施設の壁面に設けられたフック等に係留するものである。ここで、取付具３２は、ステンレスから成り、コの字状に屈折された板状から形成されている。なお、１対の取付具３２が、支持部材３１に一定の距離を設けて接合されている。また、支持部３０の第１持手３３は、アルミニウム合金から成り、コの字状に屈折された円柱から形成されている。なお、１対の第１持手３３が、支持部材３１に一定の距離を設けて接合されている。この様な１対の第１持手３３は、両手で持ち、支持部材３１を搬送するために用いる。また、第２持手３４は、アルミニウム合金から成り、コの字状に屈折された長尺の円柱から形成されている。この様な第２持手３４は、片手で持ち、支持部材３１を搬送するために用いる。
【００２６】
ここで、照明装置取付具２の使用法に関し、図１５の各図を参照しながら、説明する。図１５（ａ）には、複数の照明装置Ｌを同一の角度に回転させた状態で収納した照明装置取付具２を平面図で示している。なお、図１５（ａ）に示す照明装置Ｌには、発光する一組の導光板が十字状に直交して設けられている。ここで、図１５（ｂ）には、図１５（ａ）に図示した５つの照明装置Ｌを時計方向に２２．５度回転させた状態で収納した照明装置取付具２を平面図で示している。さらに、図１５（ｃ）には、図１１（ａ）に図示した５つの照明装置Ｌを時計方向に回転させた状態で収納した照明装置取付具２を平面図で示している。この様に、照明装置取付具２を用いれば、複数の照明装置Ｌを所定の角度回転させた状態で収納することができる。
【００２７】
また、照明装置取付具２の使用法に関し、照明装置取付具２の外形を逆円錐状にすることによって、該照明装置取付具２は、支持部３０に係留部２０を取り付け、係留部２０に照明装置Ｌを装着した場合、照明装置Ｌの軸心が支持部材３１から離間する方向に対して３度乃至１２度に傾斜するように構成されている。この様に照明装置Ｌが傾斜して設置されることによって、支持部３０を壁に装着した場合には、照明装置Ｌから出射される光が広がりを持って壁に投影される。また、照明装置Ｌの発光部ＬＬに相当する導光板の主面に凹部又は凸部が形成されていることや、導光板が複数に分岐されていることから、広がりのある光が壁に投影される。なお、照明装置取付具２の外形を逆円錐状にすることにより、壁に対して照明装置Ｌが３度乃至１２度の角度で傾斜するよう構成したが、この様な構成に限定されることはなく、照明装置取付具２の支持部３０を傾斜させる等により内部で傾斜を形成する構造としても良い。
【００２８】
以上、本発明の第２の実施形態に係る照明装置取付具２によれば、本発明の第１の実施形態に係る照明装置取付具１と同様に、簡便な構成により照明装置を容易に収納することができる。
【００２９】
さらに、本発明の第２の実施形態に係る照明装置取付具２によれば、支持部３０を用いて、複数の照明装置を所定の配列により配設することができる。具体的には、支持部３０を用いて、複数の照明装置を扇状に配設することができる。したがって、複数の照明装置から出射される光により、光の配光角を広げることができ、且つデザイン性に優れたものとすることができる。
【００３０】
［第３の実施形態］
以下、本発明の第３の実施形態に係る照明装置取付具３について、図１６乃至図１８を参照しながら、具体的に説明する。
【００３１】
なお、本発明の第３の実施形態に係る照明装置取付具３は、図１６に示すように、支持部４０が、係留部２０を支持する第１支持部４１と、壁面Ｍに取り付けられる第２支持部４２から成り、第２支持部４２が第１支持部４１に所定の角度で固定されていることに特徴を有している。また、それ以外の第３の実施形態に係る構成は、第１及び第２の実施形態で述べた構成と同様である。そこで、第３の実施形態においては第１及び第２の実施形態と異なる支持部４０の構成について中心に説明する。
【００３２】
ここで、照明装置取付具３の支持部４０の第２支持ベース４６が取り付けられる壁面Ｍは、施設の室内、施設の入り口、展示会場の出展ブース、船舶の室内及び電柱等の壁面Ｍに相当する。また、図１７に示す収納部１０の収納容器１９の下部には、照明装置Ｌの配線を引っ掛けるための引掛部１９ｇが設けられている。
【００３３】
照明装置取付具３を構成する支持部４０は、係留部２０を支持する第１支持部４１、及び壁面Ｍに取り付けられる第２支持部４２から成る。以下、支持部４０の各構成について説明する。第１支持部４１は、第１支持ベース４３、連結部材４４及びネジ４５から構成されている。ここで、第１支持ベース４３の基本的な仕様は、上述した支持部３０の支持部材３１と同様である。なお、第１支持ベース４３の一面４３ａの中央と両端の３箇所において、貫通孔４３ｂが、係留部２０の係留部材２２のネジ穴２２ｍに対応するように、それぞれ上下に２個形成されている。また、図１６及び図１７に示すように、係留部材２２の上部から突出して形成された突起部２２ｎが第１支持ベース４３の上端に当接した状態で、ネジ４５が第１支持ベース４３の貫通孔４３ｂを介して係留部材２２のネジ穴２２ｍに固定されている。また、支持部４０の連結部材４４は、金属から成り、コの字状に形成され、該コの字状の中央部分が第１支持ベース４３の一面４３ａに接合されている。
【００３４】
また、支持部４０の第２支持部４２は、第２支持ベース４６、ナット４７及びボルト４８から構成されている。ここで、第２支持ベース４６は、金属板から成り、複数回屈折されて形成されている。また、第２支持ベース４６からせり出した２箇所の当接部４６ａが、連結部材４４の中央部分に設けられた接続部４４ａに当接している。また、第２支持ベース４６の当接部４６ａの上端から突出して形成された凸状の突出部４６ｂに対して、連結部材４４の上部に屈折されて形成されたＬ字状の引掛部４４ｂが連結されている。また、第２支持ベース４６の当接部４６ａの下端から突出して形成された凸状の連結部４６ｃに、貫通孔が形成され、該貫通孔に対応するようにナット４７が接合されている。ここで、第２支持ベース４６の連結部４６ｃに接合されたナット４７に、連結部材４４の下部に屈折されて形成された板状の接合部４４ｃの挿通孔４４ｄを介し、ボルト４８が固定されている。
【００３５】
ここで、第２支持ベース４６の連結部４６ｃは、当接部４６ａの下端から斜め下方に向かって屈折しているため、六角レンチ等を用いて該ボルト４８を扱い易い。また、第２支持ベース４６の当接部４６ａと反対方向にせり出した３箇所の取付部４６ｄに、長孔形状の取付孔４６ｅ及び丸穴形状の取付孔４６ｆが形成されている。また、第２支持ベース４６は、取付孔４６ｅ及び取付孔４６ｆを介して、図１８に示す壁面Ｍに取り付けられる。なお、取り付けに際しては、先ず、第２支持ベース４６を壁面Ｍに位置決めした上で、第２支持ベース４６の長孔形状の取付孔４６ｅに対して、ネジＢ１を挿入し壁面Ｍに仮留めする。次に、第２支持ベース４６の丸穴形状の取付孔４６ｆに対して、ネジＢ２を挿入し壁面Ｍに係留する。
【００３６】
また、支持部４０の壁面Ｍへの取り付けについて、図１７及び図１８を参照しながら説明する。なお、発明の理解を容易にするために、図１８では連結部材４４を着色している。図１８（ａ）は、第２支持ベース４６の連結部４６ｃに接合されたナット４７に対し、連結部材４４の下部から屈折した板状の接合部４４ｃに形成された挿通孔４４ｄを介し、ボルト４８が固定される途中の状態を側面図で示している。また、図１８（ｂ）は、図１８（ａ）に示すボルト４８が連結部材４４を介しナット４７にネジ留めされる途中の状態から、ボルト４８がナット４７に完全にネジ留めされた状態を示している。ここで、図１８（ａ）において、連結部材４４の接合部４４ｃは、先端部が水平方向に対して下方に２３°の角度で傾斜している。また、図１８（ａ）において、第２支持ベース４６の連結部４６ｃは、先端部が水平方向に対して下方に２０°の角度で傾斜している。したがって、図１８（ｂ）に示すようにボルト４８がナット４７に対し完全にネジ留めされた状態では、収納容器１９の上部が、例えば壁面Ｍに取り付けられた第２支持ベース４６に対し、連結部材４４を介して３°前倒した状態で配設される。このため、図示せぬ照明装置Ｌが、連結部材４４を係留する係留部材２２を介して、前倒した状態で配設される。すなわち、図１８（ｂ）に示す照明装置取付具３において、図示せぬ照明装置Ｌを収納する収納容器１９の長手方向が、Ｙ軸からＺ軸の方向にθ＝３°傾斜した状態で配設される。
【００３７】
上述した様に、連結部材４４の接合部４４ｃを所定の角度にすることにより、照明装置Ｌを収納する収納容器１９の傾斜角度を、図１８に示す壁面Ｍに取り付けられた第２支持ベース４６に対して任意に設定することができる。すなわち、照明装置取付具３によれば、該照明装置取付具３に取り付けた照明装置Ｌの発光部ＬＬの傾斜角度を、例えば連結部材４４の接合部４４ｃの角度を変更することにより任意に設定することができる。なお、図１８（ｂ）において、該照明装置取付具３に取り付けた照明装置Ｌの発光部ＬＬは、壁面Ｍに対し前方に前倒して配設されることになる。
【００３８】
なお、第１支持ベース４３の外形形状は、円弧状の扇形状に限定されることはなく、長方形状から形成しても良い。ここで、第１支持ベース４３の外形形状を長方形状とすれば、複数の照明装置Ｌを平行に配設することができる。また、３個の第１支持ベース４３を左右に並列した状態になるように一体に形成しても良い。この様な場合には、より多くの照明装置Ｌを円弧状に配設することができる。
【００３９】
以上、本発明の第３の実施形態に係る照明装置取付具３によれば、本発明の第１及び第２の実施形態に係る照明装置取付具１及び照明装置取付具２と同様に、簡便な構成により照明装置Ｌを容易に収納することができる。
【００４０】
さらに、本発明の第３の実施形態に係る照明装置取付具３によれば、図１８に示すように、係留部２０を支持する第１支持部４１と壁面Ｍに取り付けられる第２支持部４２から成る支持部４０を用い、連結部材４４の接合部４４ｃの角度を任意に設定することにより、壁面Ｍに対して照明装置Ｌを所定の角度で取り付けることができる。
【００４１】
［第４の実施形態］
以下、本発明の第４の実施形態に係る照明装置取付具４について、図１９乃至図２３を参照しながら、具体的に説明する。
【００４２】
なお、本発明の第４の実施形態に係る照明装置取付具４は、図２０に示すように、支持部６０が、係留部２０を支持する第１支持部６１と、壁面Ｍに取り付けられる第２支持部６２から成り、第２支持部６２が第１支持部６１に所定の角度で固定される。ここで、照明装置取付具４は、図２２等に示すように、支持部６０の第１支持ベース６３に合計２４個の貫通孔６３ａ、６３ｂ、６３ｃ、６３ｄ、６３ｅ、６３ｆ、６３ｇ、６３ｈ、６３ｉ、６３ｊ、６３ｋ、６３ｍ、６３ｎ、６３ｐ、６３ｑ、６３ｒ、６３ｓ、６３ｔ、６３ｕ、６３ｖ、６３ｗ、６３ｘ、６３ｙ及び６３ｚが形成され、係留部２０の係留部材２２を異なる角度で固定することができることに特徴を有している。また、それ以外の第４の実施形態に係る照明装置取付具４の構成は、第３の実施形態で述べた構成と同様である。そこで、第４の実施形態においては第３の実施形態と異なる支持部６０の構成について中心に説明する。
【００４３】
第４の照明装置取付具４を構成する支持部６０は、図１９及び図２０に示すように、該支持部６０に特有の第１支持ベース６３及び一対の連結部材６４と連結部材６５に加えて、前述した支持部４０と同様のネジ６６、第２支持ベース６７及びナット６８から構成される。そこで、以下、支持部６０の第１支持ベース６３及び一対の連結部材６４と連結部材６５について説明する。また、図２１に示すように、支持部６０の第１支持ベース６３には、係留部２０の係留部材２２のネジ穴２２ｍに対応した合計２４個の貫通孔６３ａ、６３ｂ、６３ｃ、６３ｄ、６３ｅ、６３ｆ、６３ｇ、６３ｈ、６３ｉ、６３ｊ、６３ｋ、６３ｍ、６３ｎ、６３ｐ、６３ｑ、６３ｒ、６３ｓ、６３ｔ、６３ｕ、６３ｖ、６３ｗ、６３ｘ、６３ｙ及び６３ｚが、係留部材２２を異なる角度で固定可能なように、それぞれ形成されている。
【００４４】
詳細には、図２１に示す第１支持ベース６３の上方には、菱形の頂点をなすように４個の貫通孔６３ａ乃至６３ｄが形成されている。この４個の貫通孔６３ａ乃至６３ｄよりも内側に、さらに菱形の頂点をなすように貫通孔６３ｅ乃至６３ｈが形成されている。同様に、図２１に示す第１支持ベース６３の中央には、菱形の頂点をなすように４個の貫通孔６３ｉ、６３ｊ、６３ｋ及び６３ｍが形成されている。この４個の貫通孔６３ｉ、６３ｊ、６３ｋ及び６３ｍよりも内側に、さらに菱形の頂点をなすように貫通孔６３ｎ、６３ｐ、６３ｑ及び６３ｒが形成されている。同様に、図２１に示す第１支持ベース６３の下方には、菱形の頂点をなすように４個の貫通孔６３ｓ乃至６３ｖが形成されている。この４個の貫通孔６３ｓ乃至６３ｖよりも内側に、さらに菱形の頂点をなすように貫通孔６３ｗ乃至６３ｚが形成されている。
【００４５】
この様な支持部６０を用いれば、図１９及び図２０等に示すように、例えば３個の照明装置Ｌを、第１支持ベース６３に合計２４個形成された貫通孔６３ａ、６３ｂ、６３ｃ、６３ｄ、６３ｅ、６３ｆ、６３ｇ、６３ｈ、６３ｉ、６３ｊ、６３ｋ、６３ｍ、６３ｎ、６３ｐ、６３ｑ、６３ｒ、６３ｓ、６３ｔ、６３ｕ、６３ｖ、６３ｗ、６３ｘ、６３ｙ及び６３ｚのいずれかを用い、照明装置取付具４に対して所定の角度だけ傾斜した状態で固定することができる。また、支持部６０の一対の連結部材６４と連結部材６５は、それぞれ金属から成りＬ字状に形成されている。なお、一対の連結部材６４と連結部材６５は、支持部４０の連結部材４４の中央部分を削除した仕様に相当し、第１支持ベース６３に形成された貫通孔６３ｐ及び６３ｍとの干渉を回避するための構成である。
【００４６】
ここで、照明装置取付具４の使用形態について、図２２及び図２３を参照しながら説明する。図２２に示す照明装置取付具４では、中央と左右に設けられた計３個の照明装置Ｌの発光部ＬＬ７１乃至ＬＬ７３が、図中において真上を向くように配設されている。この場合、収納容器７１が、第１支持ベース６３の貫通孔６３ｓ及び６３ｙを用いて取り付けされている。また、収納容器７２が、第１支持ベース６３の貫通孔６３ｉ及び６３ｑを用いて取り付けされている。同様に、収納容器７３が、第１支持ベース６３の貫通孔６３ａ及び６３ｇを用いて取り付けされている。また、図２２の左右に設けられた計２個の照明装置Ｌの発光部ＬＬ７４及びＬＬ７５を、図中において第１支持ベース６３の中心に向かってそれぞれ４５°傾斜するように配設することもできる。なお、照明装置Ｌの発光部ＬＬ７４及びＬＬ７５は、それぞれ破線で図示している。この場合、収納容器７４が、第１支持ベース６３の貫通孔６３ｓ及び６３ｖを用いて取り付けされている。また、収納容器７５が、第１支持ベース６３の貫通孔６３ａ及び６３ｂを用いて取り付けされている。なお、収納容器７４及び７５は、それぞれ破線で図示している。
【００４７】
同様に、図２２の左右に設けられた計２個の照明装置Ｌの発光部ＬＬ７６及びＬＬ７７を、図中において第１支持ベース６３の外側に向かってそれぞれ４５°傾斜するように配設することもできる。なお、照明装置Ｌの発光部ＬＬ７６及びＬＬ７７は、それぞれ破線で図示している。この場合、収納容器７６が、第１支持ベース６３の貫通孔６３ｖ及び６３ｕを用いて取り付けされている。また、収納容器７７が、第１支持ベース６３の貫通孔６３ｂ及び６３ｃを用いて取り付けされている。なお、収納容器７６及び７７は、それぞれ破線で図示している。
【００４８】
また、図２３に示す照明装置取付具４では、図２２に示す装置と比較して第１支持ベース６３を９０°回転させた状態で、上下に設けられた計２個の照明装置Ｌの発光部ＬＬ８１及びＬＬ８２が、図中において真上を向くように配設されている。この場合、収納容器８１が、第１支持ベース６３の貫通孔６３ｖ及び６３ｘを用いて取り付けされている。また、収納容器８２が、第１支持ベース６３の貫通孔６３ｄ及び６３ｆを用いて取り付けされている。また、図２３に示す照明装置取付具４では、上下に設けられた計２個の照明装置Ｌの発光部ＬＬ８３及びＬＬ８４を、図中において第１支持ベース６３の外側に向かってそれぞれ異なる方向に４５°傾斜するように配設することもできる。なお、照明装置Ｌの発光部ＬＬ８３及びＬＬ８４は、それぞれ破線で図示している。この場合、収納容器８３が、第１支持ベース６３の貫通孔６３ｖ及び６３ｕを用いて取り付けされている。また、収納容器８４が、第１支持ベース６３の貫通孔６３ｃ及び６３ｂを用いて取り付けされている。なお、収納容器８３及び８４は、それぞれ破線で図示している。
【００４９】
以上、本発明の第４の実施形態に係る照明装置取付具４によれば、本発明の第１乃至第３の実施形態に係る照明装置取付具１乃至照明装置取付具３と同様に、簡便な構成により照明装置Ｌを容易に収納することができる。
【００５０】
さらに、本発明の第４の実施形態に係る照明装置取付具４によれば、支持部６０の第１支持ベース６３に対して、菱形の頂点をなすように合計２４個の貫通孔６３ａ、６３ｂ、６３ｃ、６３ｄ、６３ｅ、６３ｆ、６３ｇ、６３ｈ、６３ｉ、６３ｊ、６３ｋ、６３ｍ、６３ｎ、６３ｐ、６３ｑ、６３ｒ、６３ｓ、６３ｔ、６３ｕ、６３ｖ、６３ｗ、６３ｘ、６３ｙ及び６３ｚをそれぞれ形成した簡便な構成により、照明装置Ｌを異なる角度で壁面Ｍに取り付けることができる。すなわち、例えば図２３に示す照明装置取付具４のように、図２２に示す装置と比較して第１支持ベース６３を９０°回転させた状態で、上下に設けられた計２個の照明装置Ｌの発光部ＬＬ８３及びＬＬ８４を、図中において第１支持ベース６３の外側に向かってそれぞれ異なる方向に４５°傾斜するように配設することができる。
【００５１】
最後に、本発明の第１乃至第４の実施形態に係る照明装置取付具１乃至照明装置取付具４の構成と主な作用効果について、請求項毎に、具体的に説明する。
【００５２】
請求項１に記載の照明装置取付具２乃至４は、照明装置を収納する収納部１０と、収納部１０に接合され、収納部１０を外部の設備に係留する係留部２０と、係留部２０を支持し、施設に取り付けられる支持部３０、４０又は６０とを有し、収納部１０は、上部が照明装置の少なくとも一部を挿入可能な内径で形成され、且つ内部が照明装置の外形の最大径よりも小さな内径で形成され、内部に照明装置を挿入して当接させ載置することを特徴としている。
【００５３】
この様な請求項１に記載の照明装置取付具２乃至４によれば、簡便な構成により照明装置を容易に収納することができ、支持部３０、４０又は６０を用いて、複数の照明装置を所定の配列により配設することができる。
【００５４】
請求項２に記載の照明装置取付具２乃至４は、請求項１に従属し、収納部１０の内部の照明装置が当接する部分は、多角錐、円錐、又はそれらの形状の組み合わせから形成されていることを特徴としている。
【００５５】
この様な請求項２に記載の照明装置取付具２乃至４によれば、収納部１０の収納容器の内部が、多角錐、円錐、又はそれらの組み合わせから形成されていることから、該内部に照明装置Ｌを当接させて収納することができる。
【００５６】
請求項３に記載の照明装置取付具２乃至４は、請求項１に従属し、収納部１０の内部の照明装置が当接する部分は、凸部が形成されていることを特徴としている。
【００５７】
この様な請求項３に記載の照明装置取付具２乃至４によれば、収納部１０の収納容器の内部に凸部が形成されていることから、該凸部に照明装置Ｌを当接させて収納することができる。
【００６６】
請求項４に記載の照明装置取付具２乃至４は、請求項１に従属し、支持部３０、４０又は６０は、複数の収納部１０を扇状に配設することを特徴としている。
【００６７】
この様な請求項４に記載の照明装置取付具２乃至４によれば、支持部３０、４０又は６０を用いて、複数の照明装置を扇状に配設することができる。したがって、複数の照明装置から出射される光により、光の配光角を広げることができ、且つデザイン性に優れたものとすることができる。
【００６８】
請求項５に記載の照明装置取付具３又は４は、請求項１に従属し、支持部４０又は６０は、係留部を支持する第１支持部と、壁面に取り付けられる第２支持部から成り、第１支持部は、第２支持部に所定の角度で固定されていることを特徴としている。
【００６９】
この様な請求項５に記載の照明装置取付具３又は４によれば、図１８に示すように、係留部２０を支持する第１支持部４１と壁面Ｍに取り付けられる第２支持部４２から成る支持部４０を用い、連結部材４４の接合部４４ｃの角度を任意に設定することにより、壁面Ｍに対して照明装置Ｌを所定の角度で取り付けることができる。
【００７０】
請求項６に記載の照明装置取付具４は、請求項１に従属し、支持部６０の支持部材に、係留部を異なる角度で配設して固定する孔が複数形成されていることを特徴としている。
【００７１】
この様な請求項６に記載の照明装置取付具４によれば、支持部６０の第１支持ベース６３に対して、菱形の頂点をなすように合計２４個の貫通孔６３ａ、６３ｂ、６３ｃ、６３ｄ、６３ｅ、６３ｆ、６３ｇ、６３ｈ、６３ｉ、６３ｊ、６３ｋ、６３ｍ、６３ｎ、６３ｐ、６３ｑ、６３ｒ、６３ｓ、６３ｔ、６３ｕ、６３ｖ、６３ｗ、６３ｘ、６３ｙ及び６３ｚをそれぞれ形成した簡便な構成により、照明装置Ｌを異なる角度で壁面Ｍに取り付けることができる。すなわち、例えば図２３に示す照明装置取付具４のように、図２２に示す装置と比較して第１支持ベース６３を９０°回転させた状態で、上下に設けられた計２個の照明装置Ｌの発光部ＬＬ８３及びＬＬ８４を、図中において第１支持ベース６３の外側に向かってそれぞれ異なる方向に４５°傾斜するように配設することができる。
【符号の説明】
【００７２】
１，２，３，４  照明装置取付具、１０  収納部、１１，１３，１４，１５，１６，１７，１８，１９，７１，７２，７３，７４，７５，７６，７７，８１，８２，８３，８４  収納容器、１１ａ  上端部、１１ｂ  下端部、１１ｃ，１３ｃ，１４ｃ，１５ｃ，１６ｃ，１７ｃ，１８ｃ  内部、１１ｄ  保持部、１１ｅ，１３ｅ，１４ｅ，１５ｅ，１６ｅ  外部、１７ｆ，１８ｆ  凸部、１９ｇ，４４ｂ  引掛部、２０  係留部、２１，２２  係留部材、２１ａ，４４ｃ  接合部、２１ｂ  内面部、２１ｃ  孔、２２ｍ  ネジ穴、２２ｎ  突起部、３０，４０，６０  支持部、３１  支持部材、３２  取付具、３３  第１持手、３４  第２持手、４１，６１  第１支持部、４２，６２  第２支持部、４３，６３  第１支持ベース、４４，６４，６５  連結部材、４６，６７  第２支持ベース、４５，６６，Ｂ１，Ｂ２  ネジ、４７，６８  ナット、４８  ボルト、３１ａ，４３ａ  一面、３１ｂ  他面、３１ｃ，４３ｂ，６３ａ，６３ｂ，６３ｃ，６３ｄ，６３ｅ，６３ｆ，６３ｇ，６３ｈ，６３ｉ，６３ｊ，６３ｋ，６３ｍ，６３ｎ，６３ｐ，６３ｑ，６３ｒ，６３ｓ，６３ｔ，６３ｕ，６３ｖ，６３ｗ，６３ｘ，６３ｙ，６３ｚ    貫通孔、３２ａ  長穴、４４ａ接続部、４４ｄ  挿通孔、４６ａ  当接部、４６ｂ  突出部、４６ｃ  連結部、４６ｄ  取付部、４６ｅ，４６ｆ  取付孔、Ｌ，Ｌ１，Ｌ２，Ｌ３  照明装置、ＬＫ  筐体、ＬＫ  筐体部、ＬＬ，ＬＬ７１，ＬＬ７２，ＬＬ７３，ＬＬ７４，ＬＬ７５，ＬＬ７６，ＬＬ７７，ＬＬ８１，ＬＬ８２，ＬＬ８３，ＬＬ８４  発光部、ＬＭ  口金、Ｍ  壁面、Ｓ  ソケット
【図１】
0005730151.tif 000002
【図２】
0005730151.tif 000003
【図３】
0005730151.tif 000004
【図４】
0005730151.tif 000005
【図５】
0005730151.tif 000006
【図６】
0005730151.tif 000007
【図７】
0005730151.tif 000008
【図８】
0005730151.tif 000009
【図９】
0005730151.tif 000010
【図１０】
0005730151.tif 000011
【図１１】
0005730151.tif 000012
【図１２】
0005730151.tif 000013
【図１３】
0005730151.tif 000014
【図１４】
0005730151.tif 000015
【図１５】
0005730151.tif 000016
【図１６】
0005730151.tif 000017
【図１７】
0005730151.tif 000018
【図１８】
0005730151.tif 000019
【図１９】
0005730151.tif 000020
【図２０】
0005730151.tif 000021
【図２１】
0005730151.tif 000022
【図２２】
0005730151.tif 000023
【図２３】
0005730151.tif 000024